(57)【特許請求の範囲】
【請求項１】
前面に呼出ボタンやマイク部、スピーカ部を備えた本体ケースを、前面が装飾面となる化粧カバーと、該化粧カバーの後面側に組み付けられる収納ケースとを有する取付用ケース内に収納するとともに、前記化粧カバーに、前記呼出ボタン、前記マイク部、及び前記スピーカ部を前側に露出させる露出口を設けたインターホン機器であって、
前記化粧カバーが、前記露出口を有するパネル部材と、前記パネル部材を着脱自在であるとともに、少なくとも前記パネル部材の前記露出口を前面に露出させる取付用開口を有するフレーム部材とを備えてなり、
前記本体ケースにおける前記呼出ボタンや前記マイク部、前記スピーカ部の位置や大きさに応じて、前記露出口の位置や形状が異なる別の前記パネル部材に交換可能である一方、
前記フレーム部材における前記取付用開口の上側に、ネームプレートを設置するためのプレート設置部が前記取付用開口に隣接して設けられており、
前記化粧カバーにおける前記パネル部材と前記プレート設置部との境界部分において、前記パネル部材と前記フレーム部材とが一部で前後に重なっているとともに、当該重なっている箇所において、前記パネル部材側の上面と前記フレーム部材側の上面とが面一となっていることを特徴とするインターホン機器。
【発明の詳細な説明】
【技術分野】
【０００１】
本発明は、たとえば玄関等に設置されて、来訪者が居住者を呼び出すためのインターホン子機といったインターホン機器に関するものである。
【背景技術】
【０００２】
従来、一般的なインターホン機器では、インターホン機器の本体ケースの前面に、カメラ部や呼出ボタン、通話部等を設ける一方、前面が装飾面とされた化粧カバーに開口やマイク孔を開設し、カメラ部や呼出ボタン、マイク部等を前面に露出させるようにして、化粧カバーを本体ケースの前面に取り付けていた（たとえば特許文献１）。
【先行技術文献】
【特許文献】
【０００３】
【特許文献１】特開２０１３−９２３９号公報
【発明の概要】
【発明が解決しようとする課題】
【０００４】
インターホン機器を使用していると、呼出ボタンの故障等により本体ケースを交換しなければならない場合がある。また、本体ケースを交換するに際し、同機種の本体ケースがない状況も考えられる。そして、そのような場合、上記従来のインターホン機器では、交換前後の本体ケースにおいてカメラ部等の大きさや形状が異なったり、マイク部の位置が異なったりすると、化粧カバー全体も交換しなければならず、作業が煩わしいという問題がある。特に、化粧カバーに関して、一々全体を交換しなければならないため、無駄が多くコスト高になる、環境問題の観点からも望ましくないといった問題もある。
【０００５】
そこで、本発明は、上記問題に鑑みなされたものであって、本体ケースを交換する必要が生じた際に、従来よりも交換が容易であり、特に化粧カバーに関してコストの低減を図ることができ、さらには環境にも配慮したインターホン機器を提供しようとするものである。
【課題を解決するための手段】
【０００６】
上記目的を達成するために、本発明は、前面に呼出ボタンやマイク部、スピーカ部を備えた本体ケースを、前面が装飾面となる化粧カバーと、該化粧カバーの後面側に組み付けられる収納ケースとを有する取付用ケース内に収納するとともに、化粧カバーに、呼出ボタン、マイク部、及びスピーカ部を前側に露出させる露出口を設けたインターホン機器であって、化粧カバーが、露出口を有するパネル部材と、パネル部材を着脱自在であるとともに、少なくともパネル部材の露出口を前面に露出させる取付用開口を有するフレーム部材とを備えてなり、本体ケースにおける呼出ボタンやマイク部、スピーカ部の位置や大きさに応じて、露出口の位置や形状が異なる別のパネル部材に交換可能としたことを特徴とする。
したがって、請求項１に記載の発明によれば、従来のように化粧カバー全体を交換する必要がないため、交換作業が容易である。また、フレーム部材を使い回すことができるため、無駄な部分が少なく、コストを低減することができるし、環境問題の観点からも好ましい。
【０００７】
また請求項１に記載の発明は、フレーム部材における取付用開口の上側に、ネームプレートを設置するためのプレート設置部が取付用開口に隣接して設けられており、化粧カバーにおけるパネル部材とプレート設置部との境界部分において、パネル部材とフレーム部材とが一部で前後に重なっているとともに、当該重なっている箇所において、パネル部材側の上面とフレーム部材側の上面とが面一となっていることを特徴とする。
したがって、請求項１に記載の発明によれば、パネル部材とフレーム部材との一体感が増すことになり、インターホン機器の外観をより美しくすることができる。
【発明の効果】
【０００８】
本発明によれば、本体ケースを交換する際、従来のように化粧カバー全体を交換する必要がなく、パネル部材のみを交換することで対応することができるため、交換作業が容易である。また、フレーム部材を使い回すことができるため、無駄な部分が少なく、コストを低減することができるし、環境問題の観点からも好ましい。
【図面の簡単な説明】
【０００９】
【図１】インターホン子機を前側から示した説明図である。
【図２】取付用ケースから化粧カバーのパネル部材を取り外した状態を示した斜視説明図である。
【図３】化粧カバーを前側から示した説明図である。
【図４】図３中のＡ−Ａ線断面を示した説明図である。
【図５】化粧カバーを後側から示した斜視説明図である。
【図６】パネル部材を前側から示した斜視説明図である。
【図７】パネル部材を後側から示した斜視説明図である。
【図８】化粧カバーのフレーム部材を前側から示した斜視説明図である。
【図９】フレーム部材を後側から示した斜視説明図である。
【図１０】インターホン子機の本体ケースを化粧カバーの後面に固定した状態を示した説明図である。
【図１１】別の本体ケースを取り付けてなるインターホン子機を前側から示した説明図である。
【図１２】図１１と同じ本体ケースを化粧カバーの後面に固定した状態を示した説明図である。
【図１３】更に別の本体ケースを取り付けてなるインターホン子機を示した斜視説明図である。
【発明を実施するための形態】
【００１０】
以下、本発明の一実施形態となるインターホン子機について、図面にもとづき詳細に説明する。
【００１１】
図１は、インターホン子機１を前側から示した説明図である。図２は、取付用ケース２から化粧カバー３のパネル部材４を取り外した状態を示した斜視説明図である。図３は、化粧カバー３を前側から示した説明図である。図４は、図３中のＡ−Ａ線断面を示した説明図である。図５は、化粧カバー３を後側から示した斜視説明図である。図６は、パネル部材４を前側から示した斜視説明図である。図７は、パネル部材４を後側から示した斜視説明図である。図８は、化粧カバー３のフレーム部材５を前側から示した斜視説明図である。図９は、フレーム部材５を後側から示した斜視説明図である。図１０は、インターホン子機１の本体ケース３１を化粧カバー３の後面に固定した状態を示した説明図である。図１１は、本体ケース４２を取り付けてなるインターホン子機４１を前側から示した説明図である。図１２は、本体ケース４２を化粧カバー４３の後面に固定した状態を示した説明図である。図１３は、本体ケース５２を取り付けてなるインターホン子機５１を示した斜視説明図である。
【００１２】
インターホン子機１は、前側に配置される前ケース３２と、後側に配置される後ケース３３（図１０に示す）とを組み合わせてなる本体ケース３１（図１０に示す）、及び本体ケース３１を収納状態で設置可能とした取付用ケース２を有している。そして、取付用ケース２は、化粧カバー３と、前面に開口し、上記本体ケース３１よりも大きな箱状の収納ケース６とを有しており、化粧カバー３の後面に収納ケース６を組み付けて構成される。一方、本体ケース３１の前面には、本体ケース３１の前方を撮影するためのカメラ部３４、通話のためのマイク部３５やスピーカ部３６、来訪者が居住者を呼び出す際に押し込み操作する呼出ボタン３７等が設置されている。また、本体ケース３１内には、図示しないインターホン親機等との通話動作を制御するための制御基板（図示せず）が内蔵されている。そして、該本体ケース３１は、カメラ部３４やスピーカ部３６、呼出ボタン３７等を化粧カバー３から露出させた状態で、収納ケース６内に収納される。
【００１３】
そして、このようなインターホン子機１は、たとえば住戸の玄関の壁面に収納ケース６が埋設される等して設置されており、来訪者によって呼出ボタン３７が押し込み操作されると、住戸の居室内に設置されているインターホン親機を呼び出すとともに、カメラ部３４によって来訪者を撮影するようになっている。なお、カメラ部３４によって撮影された映像は、インターホン親機の表示画面に表示されるとともに、インターホン親機における居住者等による応答操作によって、インターホン子機１はインターホン親機との間で通話可能となる。
【００１４】
ここで、本発明の要部となる化粧カバー３について詳細に説明する。
化粧カバー３は、インターホン子機１の本体ケース３１の前面を覆うパネル部材４と、パネル部材４が着脱自在に取り付けられるフレーム部材５とを備えてなる。パネル部材４は、前面が装飾面とされた矩形の板状部材であって、その本体には、カメラ部３４等を露出させるための中央開口７と、マイク部３５を露出させるためのマイク孔８とが開設されている。また、パネル部材４の左右両側縁に沿って、鍔状の当接片９、９が左右外側へ突設されている。そして、パネル部材４をフレーム部材５に取り付けた際、当接片９、９の前面がフレーム部材５の取付用開口１７周縁部の後面に当接して、パネル部材４の前側への抜け止めとして機能するようになっている。また、当接片９、９の前面は、パネル部材４本体の前面よりもフレーム部材５（特に後述する取付用開口１７周縁部）の前後方向での厚み分だけ後側に位置しており、パネル部材４のフレーム部材５への取付時において、パネル部材４本体の前面とフレーム部材５の前面とが略面一となるようになっている。加えて、各当接片９には、パネル部材４のフレーム部材５に対する位置決めのための切り欠き１６が夫々設けられている。
【００１５】
また、パネル部材４の上辺部の略中央には、後側へ立設された上壁１０が設けられているとともに、該上壁１０の左右両端部には、上壁１０の先端から更に後側へ延設された後に上側へ折り曲げられて、倒Ｌ字状に形成された一対のネジ止め片１１、１１が設けられている。さらに、パネル部材４の後面上縁で、上壁１０の左右両側となる箇所は、上側へ向かって徐々に薄肉となる傾斜面４ａ、４ａとして形成されている。一方、パネル部材４の下辺部における左右両端部には、一対のネジ止め部１２、１２が下側へ突設されているとともに、ネジ止め部１２、１２間にわたって下側へ突出する下壁１３が設けられている。なお、上壁１０及び下壁１３にも、パネル部材４のフレーム部材５に対する位置決めのための切り欠き１６が夫々設けられている。
【００１６】
加えて、パネル部材４の後面で上下の左右両隅部には、インターホン子機１の本体ケース３１を固定するための金具３８をネジ止めするための第１固定突起１４、１４・・が夫々後側へ突設されている。また、パネル部材４の後面における上下の左右両隅部で、上側の第１固定突起１４、１４よりも下方となる位置、及び下側の第１固定突起１４、１４よりも上方となる位置にも、金具３８をネジ止めするための第２固定突起１５、１５・・が夫々後側へ突設されている。ただし、第２固定突起１５は、第１固定突起１４よりもパネル部材４後面からの後側への突出高さが金具３８の厚み以上に低くなっている（すなわち、第２固定突起１５の先端は、第１固定突起１４の先端よりも金具３８の厚み以上に前側に位置している）。また、上辺部及び下辺部における左側の第１固定突起１４と右側の第１固定突起１４との左右方向での距離と、左辺部及び右辺部における上側の第２固定突起１５と下側の第２固定突起１５との上下方向での距離とは同じとなっている。
【００１７】
一方、フレーム部材５は、その前面がパネル部材４よりも上下方向、左右方向共に大きな矩形に形成されているとともに、前面中央に、パネル部材４本体と略同じ大きさの取付用開口１７が開設された四角形枠状の部材である。また、取付用開口１７の上側には、フレーム部材５の前面よりも後側へ凹んでおり、ネームプレート３９を収納可能としたプレート設置部１８が取付用開口１７に隣接して設けられている。さらに、プレート設置部１８の下辺における左右両端部には、プレート設置部１８の背面よりも下側及び前側へ突出し、取付用開口１７内へ突出した位置において左右方向へ延びる角柱状に形成された一対のアーム１９、１９が設けられている。アーム１９、１９間の左右での距離は、パネル部材４の上壁１０の左右長さと略同じになっているとともに、各アーム１９の左右長さは、パネル部材４の傾斜面４ａとされている箇所の左右長さと略同じになっており、パネル部材４を取り付けた際、上壁１０がアーム１９、１９間に位置するとともに、アーム１９の前側に傾斜面４ａが位置するようになっている。また、各アーム１９の前面は、フレーム部材５の前面よりもパネル部材４本体の厚み分だけ後側に位置しており、パネル部材４を取り付けた際、パネル部材４本体の前面とフレーム部材５の前面とが略面一となるようになっている。さらに、各アーム１９の上面は、プレート設置部１８の下辺と上下方向へ略同じ高さ位置とされているとともに、当該上面から取付用開口１７の下端縁までの上下長さがパネル部材４本体の上下長さと略同じとされており、パネル部材４の取付時において、各アーム１９の上面とパネル部材４の上面とが略面一となるようになっている。なお、プレート設置部１８の背面には、フレーム部材５と収納ケース６とをネジ止めするためのネジ孔２０、２０が設けられている。また、２１は、パネル部材４を取り付ける際に、上壁１０に設けられた切り欠き１６内に位置してパネル部材４の取付位置を位置決めする位置決め突起である。
【００１８】
また、フレーム部材５の後面で、プレート設置部１８の後面となる位置、及び取付用開口１７の下側となる位置には、パネル部材４をネジ止めするためのボス２２、２２・・が後側へ突設されている。さらに、取付用開口１７の左右両側には、パネル部材４を取り付ける際に、パネル部材４の左右両側縁に当接してパネル部材４の取付位置を位置決めする位置決めリブ２３が夫々上下方向に延設されている。なお、取付用開口１７の下側となる位置及び各位置決めリブ２３にも、パネル部材４を取り付ける際に、パネル部材４の下壁１３や各当接片９に設けられた切り欠き１６内に位置してパネル部材４の取付位置を位置決めする位置決め突起２１が夫々設けられている。
【００１９】
そして、化粧カバー３の組み立てに際しては、まずパネル部材４の上辺部をフレーム部材５の後面へ近づけ、ネジ止め片１１、１１をボス２２、２２に近接（若しくは当接）させるとともに、パネル部材４の上辺部を取付用開口１７内に位置させる。次に、この状態からネジ止め片１１、１１の先端部あたりを軸としてパネル部材４を前側へ、パネル部材４本体を取付用開口１７内へ入れ込むように回動させ、上壁１０をアーム１９、１９間へ入れ込むとともに、パネル部材４の上辺部で、上壁１０の左右両側となる箇所を各アーム１９の前側へ回り込ませる。すると、各位置決め突起２１が対応する切り欠き１６内に位置して、パネル部材４が取付位置に位置決めされるとともに、当接片９、９や下壁１３の前面が、フレーム部材５の取付用開口１７の周縁部の後面に当接し、取付用開口１７内にパネル部材４本体が露出して、フレーム部材５の前面とパネル部材４の前面とが略面一となる。そこで、ネジ止め片１１、１１やネジ止め部１２、１２とボス２２、２２・・とをネジ止めして一体化すれば、フレーム部材５にパネル部材４が取り付けられ、化粧カバー３が組み立てられることになる。
【００２０】
また、組み立てられた化粧カバー３の後面側に、中央開口７からカメラ部３４等が露出するように本体ケース３１を配置した後、たとえば本体ケース３１の後面の上部及び下部に金具３８を夫々当接させつつ、パネル部材４の上辺側の第１固定突起１４、１４間、及び下辺側の第１固定突起１４、１４間に夫々金具３８を架け渡し、各金具３８を第１固定突起１４、１４にネジ止めすることにより、本体ケース３１が化粧カバー３に固定される（図１０）。最後に、本体ケース３１を収納しつつフレーム部材５の後面側に収納ケース７を組み付け、ネジ孔２０を介してフレーム部材５側から収納ケース７側へネジをねじ込んで化粧カバー３と収納ケース７とを一体化すれば、インターホン子機１が組み立てられる。
【００２１】
ここで、たとえば呼出ボタン３７が故障した等の理由により本体ケース３１を別の本体ケース４２に交換し、インターホン子機１に代えて、新たなインターホン子機４１とする場合がある。このとき、従来では化粧カバー３全体の交換が必要であった。しかしながら、本発明であれば、図１１に示すように、フレーム部材５はそのまま利用し、パネル部材４に代えて、中央開口４４やマイク孔４５の位置、形状等が異なるパネル部材４６に交換した化粧カバー４３で対応することができる。なお、パネル部材４６とパネル部材４とは、中央開口４４等が異なるのみであり、第１固定突起１４や第２固定突起１５、当接片９やネジ止め片１１等の構成については全く同じとなっている。
【００２２】
そして、本体ケース４２に交換したことで、前後方向での厚みが本体ケース３１と異なるのであれば、第２固定突起１５、１５を利用して本体ケース４２を化粧カバー４３の後面側に固定すればよい。すなわち、本体ケース４２の後面の左部及び右部に金具３８を夫々当接させつつ、パネル部材４６の左辺側の第２固定突起１５、１５間、及び右辺側の第２固定突起１５、１５間に夫々金具３８を架け渡し、各金具３８を第２固定突起１５、１５にネジ止めすればよい（図１２）。
【００２３】
さらに、本体ケース３１を別の本体ケース５２に交換したところ、適当なパネル部材がないといった状況も考えられる。そのような場合、図１３に示すように、パネル部材をフレーム部材５に取り付けず、本体ケース５２を収納した収納ケース６にフレーム部材５を組み付けただけの取付用ケースとして、インターホン子機５１を構成すればよい。なお、この場合、図示しない専用の取付台を介して本体ケース５２を収納ケース６側に固定することになる。
【００２４】
以上のような化粧カバー３及び収納ケース６を有する取付用ケース２を備えたインターホン子機１によれば、本体ケース３１を別の本体ケース４２に交換するにあたり、フレーム部材５に取り付けられるパネル部材４のみを、本体ケース４２に応じた別のパネル部材４６に交換するだけで対応することができる。したがって、従来のように化粧カバー３全体を交換する必要がないため、交換作業が容易である。また、フレーム部材５を使い回すことができるため、無駄な部分が少なく、コストを低減することができるし、環境問題の観点からも好ましい。
【００２５】
また、本体ケース５２に対して適当なパネル部材がない場合、パネル部材を取り付けずともインターホン子機５１を構成することができる。したがって、汎用性が高く、一層のコスト削減を図ることができる。
【００２６】
さらに、フレーム部材５における取付用開口１７の上側に、ネームプレート３９を取り付けるためのプレート設置部１８を隣接して設けたものにあっては、パネル部材４の上辺部とプレート設置部１８との境界部分において、パネル部材４の上辺部の一部がフレーム部材５のアーム１９、１９と前後で重なっているとともに、パネル部材４の当該一部の上面と、フレーム部材５におけるアーム１９、１９の上面とが略面一となるようにしている。したがって、パネル部材４とフレーム部材５との一体感が増し、インターホン子機１の外観をより美しくすることができる。
【００２７】
さらにまた、パネル部材４をフレーム部材５にネジ止めするためのネジ止め片１１、１１を、パネル部材４本体から後方へ大きく突出させており、パネル部材４をフレーム部材５に取り付けるにあたっては、パネル部材４のネジ止め片１１、１１をフレーム部材５の後面側からボス２２、２２へ近接させるとともに、パネル部材４本体を取付用開口１７内へ入れ込むように前側へ回動させて、パネル部材４の上辺部の一部をアーム１９、１９の前側へ回り込ませるようになっている。したがって、パネル部材４の取付作業を非常に容易に行うことができる。
またさらに、パネル部材４の上辺部の一部の後面を、先端に向かって徐々に薄肉となる傾斜面４ａとしているため、上記回り込ませるに際して、フレーム部材５側と引っ掛かったりすることなく、スムーズに取付作業をすすめることができる。
【００２８】
加えて、パネル部材４の後面において、後側への突出量が異なる２種類の固定突起１４、１５をパネル部材４の四隅に夫々設けるとともに、上側及び下側で左右に並ぶ第１固定突起１４、１４の左右方向での距離と、左側及び右側で上下に並ぶ第２固定突起１５、１５の上下方向での距離を同じ距離としているため、第１固定突起１４、１４・・を利用して本体ケース３１を固定する場合と、第２固定突起１５、１５・・を利用して本体ケース４２を固定する場合とのどちらにも同じ金具３８を利用することができる。したがって、部品点数の更なる削減を図ることができ、一層の低コスト化を図ることができる。
【００２９】
なお、本発明に係るインターホン機器は、上記実施形態の態様に何ら限定されるものではなく、各インターホン機器の本体ケースに係る構成は勿論、化粧カバー側に係る構成等についても、本発明の趣旨を逸脱しない範囲で、必要に応じて適宜変更することができる。
【００３０】
たとえば、上記実施形態では、パネル部材をフレーム部材の後面側から取り付けるように構成しているが、フレーム部材の前面側から取り付けるように構成することも可能である。
また、上記実施形態では２種類のパネル部材しか説明していないが、３種類以上のパネル部材を準備することは当然可能であるし、パネル部材毎に本体ケースを固定するための固定突起の高さや種類を異ならせても何ら問題はない。すなわち、本体ケース毎に専用のパネル部材を準備することも可能である。
【００３１】
さらに、プレート設置部の有無や、パネル部材とフレーム部材との位置決めに係る構成、各パネル部材に設ける露出口の数、大きさ、形状等については、言うまでもなく適宜変更可能である。
加えて、上記実施形態ではインターホン子機について説明しているが、本発明のインターホン機器は、本体ケースを、化粧カバーと収納ケースとを有する取付用ケース内に収納するものであれば、集合玄関機等の他のインターホン機器に対しても良好に適用することができる。
【符号の説明】
【００３２】
１、４１、５１・・インターホン子機（インターホン機器）、２・・取付用ケース、３、４３・・化粧カバー、４、４６・・パネル部材、４ａ・・傾斜面、５・・フレーム部材、６・・収納ケース、７、４４・・中央開口（露出口）、８、４５・・マイク孔・・（露出口）、９・・当接片、１１・・ネジ止め片、１４・・第１固定突起、１５・・第２固定突起、１７・・取付用開口、１８・・プレート設置部、１９・・アーム（パネル部材と前後で重なっている箇所）、２２・・ボス、３１、４２、５２・・本体ケース、３４・・カメラ部、３５・・マイク部、３６・・スピーカ部、３７・・呼出ボタン、３８・・金具、３９・・ネームプレート。
【図１】
0006484511.tif 000002
【図２】
0006484511.tif 000003
【図３】
0006484511.tif 000004
【図４】
0006484511.tif 000005
【図５】
0006484511.tif 000006
【図６】
0006484511.tif 000007
【図７】
0006484511.tif 000008
【図８】
0006484511.tif 000009
【図９】
0006484511.tif 000010
【図１０】
0006484511.tif 000011
【図１１】
0006484511.tif 000012
【図１２】
0006484511.tif 000013
【図１３】
0006484511.tif 000014